(57)【要約】【課題】釣合おもりの枠に対して、ねじなどの締結部材を必要とせずに、おもりを隠すカバーを取り付けることが可能となり、しかもカバーによって美観をより高められるようにする。【解決手段】本発明の実施形態による釣合おもりは、複数個のおもり片１８と、おもり片１８を積み重ねて搭載するための側面枠を構成するおもり枠２１と、搭載したおもり片１８を覆い隠すように釣合おもりの正面側および背面側にそれぞれ配置されるおもりカバー２５と、釣合おもりカバー２５の左右両端部で長さ方向に延びる縦縁部を保持可能な一対のブラケットと、２４Ａ、２４Ｂを備え、一対のブラケット２４Ａ、２４Ｂを釣合おもりの正面側と背面側でそれぞれおもり枠２１に対して取り付け、ブラケット２４Ａ、２４Ｂは、釣合おもりカバー２５の縦縁部２６が挿通されこの縦縁部２６を可能な溝２７を全長に亘って有する。【選択図】図２
2015137161.tif 000002
【特許請求の範囲】
【請求項１】
乗りかごの重量に対して釣り合いをとるためのエレベータの釣合おもりにおいて、
複数個のおもり片と、
前記おもり片を積み重ねて搭載するための側面枠を構成するおもり枠と、
搭載した前記おもり片を覆い隠すように釣合おもりの正面側および背面側にそれぞれ配置されるおもりカバーと、
前記釣合おもりカバーの左右両端部で長さ方向に延びる縦縁部を保持可能な一対のブラケットと、を備え、
前記一対のブラケットを釣合おもりの正面側と背面側でそれぞれ前記おもり枠に対して取り付け、前記ブラケットは、前記釣合おもりカバーの縦縁部が挿通され前記縦縁部を可能な溝を全長に亘って有することを特徴とするエレベータの釣合おもり。
【請求項２】
前記ブラケットは、前記おもり枠の側面に固定されるコ字形の横断面を有する型材からなり、一対の前記ブラケットがそれぞれ前記正面側と背面側に配置されることを特徴とする請求項１に記載のエレベータの釣合おもり。
【請求項３】
前記ブラケットは、前記おもり枠の表面に固定され鉤型の横断面を有する型材からなり、一対の前記ブラケットがそれぞれ釣合おもりの側面側に配置されることを特徴とする請求項１に記載のエレベータの釣合おもり。
【請求項４】
前記ブラケットの下端には、前記釣合おもりカバーを支持する板部材を固定し、前記釣合おもりカバーの上端部に開口する穴から、前記ブラケットに形成された切欠きに係合して前記釣合おもりカバーの上下の動きを規制するストッパ部材を挿入するようにしたことを特徴とする請求項１乃至３のいずれかの項に記載のエレベータの釣合おもり。
【請求項５】
前記ブラケットの溝に嵌合し、前記釣合おもりカバーの縦縁部のがたつきを防止するゴム部材を有することを特徴とする請求項１乃至３のいずれかの項に記載のエレベータの釣合おもり。
【請求項６】
前記ブラケットの前記溝を形成する内側面には、第１の永久磁石を配置するとともに、前記釣合おもりカバーの縦縁部に前記第１永久磁石に吸着される第２の永久磁石を取り付けたことを特徴とする請求項１乃至３のいずれかの項に記載のエレベータの釣合おもり。
【発明の詳細な説明】
【技術分野】
【０００１】
本発明の実施形態は、エレベータの釣合おもりに関する。
【背景技術】
【０００２】
エレベータでは、乗りかごとの釣り合いをとるために、乗りかごの重量にバランスする釣合おもりが設けられている。従来の一般的な釣合おもりは、おもり片を幾段にも重ねるようにしておもり枠に積み上げた構造になっている。
【０００３】
近年、乗りかごに乗ったまま外の景色を展望できる展望用エレベータや、昇降路を構成する壁がガラス張りになっているエレベータが増えてきている。この種のエレベータでは、乗りかごだけでなく、乗りかごの昇降に伴って、釣合おもりも外から丸見えとなる。特に、積み上げたおもり片が武骨な印象を与え、エレベータの美観を大きく損なう場合がある。
【０００４】
そこで、展望用エレベータなどでは、おもり片を隠して美観を高めるために、釣合おもりにカバーを取り付けることが従来から行われている（例えば、特許文献１、２）。この種の釣合おもりでは、カバーとなる鋼板を釣合おもりの枠に対してネジの締結によって取り付けている。このようなカバーを釣合おもり枠に取り付けることにより、おもり片を外から見えないように隠すことができ、また、美観が向上する意匠上の効果も得ることができる。
【先行技術文献】
【特許文献】
【０００５】
【特許文献１】特開２００６−１５１６０３号公報
【特許文献２】特開２０１０−１９５５１７号公報
【発明の開示】
【発明が解決しようとする課題】
【０００６】
しかしながら、エレベータの設置される建物によっては、釣合おもりの美観がより一層重視される場合があり、カバーの締結に用いられるねじの頭が見えることさえも見栄えを悪くすると問題にされることがある。
【０００７】
また、エレベータの点検作業時には、釣合おもりについてもカバーを取り外しておもり片の状態などを点検することがある。カバーの固定には、多数のねじを用いているため、カバーを取り外すには、一本一本ねじを戻していかなければならない。そして、点検が終わった後にカバーを取り付けるには、ねじを一本ずつ締め込んでいかねばならず、作業効率が悪いという問題があった。
【０００８】
そこで、本発明は、前記従来技術の有する問題点に鑑みなされたものであって、釣合おもりの枠に対して、ねじなどの締結部材を必要とせずに、おもりを隠すカバーを取り付けることが可能となり、しかもカバーによって美観をより高めることが可能になるようにしたエレベータの釣合おもりを提供することを目的とする。
【課題を解決するための手段】
【０００９】
前記の目的を達成するために、本発明は、
乗りかごの重量に対して釣り合いをとるためのエレベータの釣合おもりにおいて、
複数個のおもり片と、
前記おもり片を積み重ねて搭載するための側面枠を構成するおもり枠と、
搭載した前記おもり片を覆い隠すように釣合おもりの正面側および背面側にそれぞれ配置されるおもりカバーと、
前記釣合おもりカバーの左右両端部で長さ方向に延びる縦縁部を保持可能な一対のブラケットと、を備え、
前記一対のブラケットを釣合おもりの正面側と背面側でそれぞれ前記おもり枠に対して取り付け、前記ブラケットは、前記釣合おもりカバーの縦縁部が挿通され前記縦縁部を可能な溝を全長に亘って有することを特徴とするものである。
【図面の簡単な説明】
【００１０】
【図１】本発明の実施形態によるエレベータの釣合おもりが適用されるエレベータの概略構成を示す図である。
【図２】本発明の第１実施形態によるレベータの釣合おもり分解斜視図である。
【図３】本発明の第１実施形態によるエレベータの釣合おもりを示す斜視図である。
【図４】本発明の第１実施形態によるエレベータの釣合おもりにおいて、釣合おもりカバーを取り付けるブラケットの上端の要部を示す斜視図である。
【図５】本発明の第１実施形態によるエレベータの釣合おもりにおいて、釣合おもりカバーを取り付けるブラケットの下端を示す斜視図である。
【図６】本発明による第１実施形態によるエレベータの釣合おもりのカバーを示す斜視図である。
【図７】本発明の第１実施形態によるエレベータの釣合おもりにおいて、釣合おもりカバーを取り付けた状態のブラケットの上端の要部を示す斜視図である。
【図８】第１実施形態のエレベータの釣合おもりの変形例を示す斜視図である。
【図９】本発明の第２実施形態によるエレベータの釣合おもりを示す平面図である。
【図１０】本発明の第２実施形態によるエレベータの釣合おもりの要部を示す斜視図である。
【発明を実施するための形態】
【００１１】
以下、本発明によるエレベータの釣合おもりの実施形態について、添付の図面を参照しながら説明する。
第１実施形態  
図１は、本発明の実施形態によるエレベータの釣合おもりが適用されるエレベータの概略構成を示す図である。このエレベータは、２：１ローピングで構成されたエレベータである。この図１において、参照番号１０はエレベータの昇降路を示している。参照番号１１は乗りかごを示し、参照番号１２が乗りかご１１と釣り合いをとる釣合おもりを示している。このエレベータでは、昇降路１０を構成する壁はガラス張りであり、外からは昇降する乗りかご１１と釣合おもり１２が見えるようになっている。
【００１２】
釣合おもり１２の上部には、釣合おもりシーブ１３が設置されている。昇降路１０の頂部には巻上機１５が設置されている。乗りかご１１の下部には、カーシーブ１６が設置されている。一端が昇降路１０の天井に止着されたメインロープ１４は、カーシーブ１６、巻上機１５、釣合おもりシーブ１３の順に巻き掛けられ、メインロープ１４の他端は昇降路１０の天井に止着されている。
【００１３】
次に、図２並びに図３は、釣合おもり１２の詳細な構成を示す。このうち図２は釣合おもりカバーを取り外した釣合おもり１２を示し、図３は釣合おもりカバーを取り付けた状態の釣合おもり１２を示している。
【００１４】
この実施形態による釣合おもり１２は、おもり片１８を積載するおもり台２０を下部に有しており、釣合おもりシーブ１３が設置されるシーブ台２３を上部に備え、また釣合おもり１２の左右両側面をなす一対の枠を構成する長尺な板状の釣合おもり枠２１、２１を備えている。おもり片１８は、例えば板状のおもりからなり、乗りかご１１の重量に対応する重量分のおもり片１８を複数枚積み上げるようにしておもり台２０の上に積載される。
【００１５】
釣合おもり枠２１、２１は、釣合おもり１２の全長に相当する長さを有している。それぞれ釣合おもり枠２１、２１の左右両側面には、長手方向全長に亘るようにして延びる一対のブラケット２４Ａ、２４Ｂが溶接あるいは図４に示されるように皿ねじ３１の締結により取り付けられている。
【００１６】
図２では、釣合おもり１２の正面側に配置されるブラケット２４Ａ、２４Ｂが示されているが、同様の一対のブラケット２４Ａ、２４Ｂは、釣合おもり１２の背面側にも同じように配置されている。これらブラケット２４Ａ、２４Ｂは、釣合おもりカバー２５を取り付けるための部材である。これらブラケット２４Ａ、２４Ｂは、コ字形の横断面形状を有する部材であって、おもり台２０の上からシーブ台２３の下まで延びる長さを有している。
【００１７】
図４に示されるように、釣合おもり枠２１、２１の上部では、その両側部に矩形に切り欠かれた切欠き３０が形成されている。これら切欠き３０は、おもり片１８を積み込際の挿入口を形成するようになっている。
【００１８】
図２、図３に示されるように、この実施形態では、釣合おもりカバー２５は、細長い長方形の鋼板からなるカバーであり、２枚一組にして釣合おもり１２の正面および背面に設けられている。この例では、取り付けの便宜の上から、２枚に分割しているが、１枚板であってもよい。
【００１９】
釣合おもりカバー２５の向かって左右両側縁には、一度内側に直角に折り曲げた縁部をさら外側に直角に折り曲げてなり、釣合おもり１２の長さ方向全長に亘って延びる縦縁部２６、２６が形成されている。他方、ブラケット２４Ａ、２４Ｂは、コ字型の横断面形状をもつことによって、この縦縁部２６、２６が嵌合可能な溝２７が長さ方向全長に亘って形成されている。
【００２０】
なお、図２において、参照番号２８は、ブラケット２４Ａ、２４Ｂの溝２７の全長に亘って嵌合し、釣合おもりカバー２５のがたつきを防止するゴム部材である。
【００２１】
ここで、図５は、釣合おもりカバー２５の脱落を防止するためにブラケット２４Ａ、２４Ｂの下端に溶接によって接合されている板部材３２を示している。この板部材３２があることによって、釣合おもりカバー２５は抜け落ちずに板部材３２によって支持される。
【００２２】
他方、図６に示されるように、釣合おもりカバー２５の上端部においては、両側の縦縁部２６、２６にそれぞれ横方向に長い長穴３４が形成されている。この長穴３４には、ストッパ３６が挿入される。この実施形態の場合、ストッパ３６は鋼板を折り曲げてＴ字形になして、本体から直角に突き出る規制片３６ａを有している。この規制片３６ａを長穴３４に挿入することでストッパ３６を取り付けることができる。図７に示されるように、ストッパ３６の規制片３６ａは、ブラケット２４Ａ、２４Ｂの切欠き３０に挿入される。釣合おもりが下降するようなときに、慣性力で釣合おもりカバー２５が上方向に向かって動こうとする場合でも、ストッパ３６の規制片３６が切欠き３０の上縁に当接するので、釣合おもりカバー２５の位置ずれを防止することができる。
【００２３】
本実施形態によるエレベータの釣合おもりは、以上のように構成されるものであり、次に、その作用並びに効果について説明する。
図２において、釣合おもり１２では、おもり片１８を積み込んでから、正面側と背面側に釣合おもりカバー２５を取り付けることになる。
【００２４】
釣合おもり１２におもり片１８を搭載していく場合、下段のおもり片１８は斜めにしておもり台２０の上に運び込みながら、順次１枚１枚積み上げていく。上の段におもり片１８を積み込むときには、ブラケット２４Ａ、２４Ｂの上に開いている切欠き３０からおもり片１８を入れて積んでいく。
【００２５】
こうして必要な数のおもり片１８を積み込んだら、次のようにして、釣合おもりカバー２５を取り付ける。
【００２６】
釣合おもり１２の正面側並びに背面側に配置されているブラケット２４Ａ、２４Ｂには溝２７が形成されており、このブラケット２４Ａ、２４Ｂの溝２７に長さ方向から挿通させるようにして、釣合おもりカバー２５の両側の縦縁部２６、２６を係合させる。その際には、ゴム部材２８を予めブラケット２４Ａ、２４Ｂの溝２７に装着しておくことが好ましい。
【００２７】
釣合おもりカバー２５は、左右両側をブラケット２４Ａ、２４Ｂによって拘束される。そして、釣合おもりカバー２５は、ブラケット２４Ａ、２４Ｂの下端に取り付けてある板部材３２（図５参照）によって支持され、さらに、釣合おもりカバー２５の上端部は、ストッパ３６によって上下の動きを規制されている。このようにして、釣合おもりカバー２５は上下左右を拘束されているので、釣合おもり１２が昇降する間もがたついたり、外れたりすることはない。
【００２８】
図３には、釣合おもりカバー２５を取り付けた後の釣合おもり１２の外観が示されている。釣合おもりカバー２５は、面積的には釣合おもり１２の正面および背面の大部分を占めることになるが、その表面にはねじ等の機械的締結要素は一切存在しないので、すっきりした見栄えのする外観にすることができる。したがって、釣合おもり１２が外から丸見えとなるエレベータであっても、エレベータの意匠上の美観を向上させることが可能になる。
【００２９】
また、エレベータの点検時に、釣合おもりカバー２５を取り外す作業を行う場合には、上部に取り付けてあるストッパ３６を抜き取ってから、釣合おもりカバー２５を引き抜くだけで、簡易に取り外すことができる。また、その逆の順序で釣合おもりカバー２５を元の状態に取り付けることができる。このため、多数のねじ等の締結要素を用いてカバーを固定する従来の釣合おもりに比べると、釣合おもりの点検・保守の作業時間を格段に短縮することができる。
【００３０】
変形例  
次に、図８は、本実施形態による釣合おもり１２の変形例を示す図である。この変形例は、永久磁石を用いて釣合おもりカバー２５を固定するようにした例である。
図８において、ブラケット２４Ａ、２４Ｂの内側面には、複数箇所に第１の磁石５０が取り付けられている。他方、釣合おもりカバー２５の両側の縦縁部２６、２６の内側には、第１磁石５０に吸着される第２の磁石５２が複数箇所に取り付けられている。
【００３１】
この変形例では、ブラケット２４Ａ、２４Ｂの溝２７に長さ方向から縦縁部２６、２６を挿通させるようにして釣合おもりカバー２５を取り付けると、第１磁石５０と第２磁石５２とが引き合い釣合おもりカバー２５を固定することができる。
【００３２】
この変形例によれば、がたつき防止のゴム部材２８や、図７に示したストッパ３６を必要とせずに、釣合おもりカバー２５をがたつかないようにしっかりと取り付けることができる。
【００３３】
第２実施形態  
次に、本発明の第２実施形態によるエレベータの釣り合いおもりについて、図９並びに図１０を参照しながら説明する。なお、第１実施形態の釣合おもり１２と共通の構成要素には同一の参照番号を付してその説明は省略する。
本発明の第１実施形態による釣合おもりは、釣合おもりカバー２５を取り付けるブラケット２４Ａ、２４Ｂが釣合おもり１２の正面側および背面側に配置された構成である。これに対して、この第２実施形態は、ブラケット４１を釣合おもり１２の側面側に配置し、釣合おもりカバー４０を釣合おもり１２の側面で保持するようにした実施形態である。
【００３４】
図１０に示されるように、釣合おもり１２の側面をなしている左右両側のそれぞれの釣合おもり枠２１の表面には、２本のブラケット４１Ａ、４１Ｂが長さ方向全長に延びるように溶接または皿ねじの締結により固定されている。この場合、ブラケット４１Ａ、４１Ｂの端縁部には、鉤形の屈曲形状をもつことによって溝４２が長手方向全長に亘って形成されている。
【００３５】
この実施形態の場合、釣合おもりカバー４０の左右両側は直角に折り曲げられている側面部４３、４３が形成されている。この側面部４３には、直角に折り曲げられた縦縁部４４が形成されている。このような釣合おもりカバー４０の縦縁部４４は、ブラケット４１Ａ、４１Ｂに形成された溝４２に長さ方向から通すようにして嵌合し、これによって、釣合おもりカバー４０はブラケット４１Ａ、４１Ｂによって保持されるようになっている。
【００３６】
以上のように構成される第２実施形態の釣合おもりの作用効果について説明する。
【００３７】
釣合おもり１２の側面をなす釣合おもり枠２１の表面に取り付けられているブラケット４１Ａ、４１Ｂには溝４２が形成されている。そして、正面側に近い方のブラケット４１Ａ、４１Ａを対にして、釣合おもりカバー４０の縦縁部４４を長さ方向から溝４２に通すようにして釣合おもりカバー４０を取り付けることができる。背面側に近い方のブラケット４１Ｂ、４１Ｂを対にして、同様に背面側の釣合おもりカバー４０を取り付けることができる。
【００３８】
釣合おもりカバー４０は、第１実施形態と同様に、ブラケット２４の下端に取り付けてある板部材３２（図５参照）によって支持され、さらに、釣合おもりカバー４０の上端部は、ストッパ３６によって上下の動きを規制されている。このようにして、釣合おもりカバー４０は上下左右を拘束されているので、釣合おもり１２が昇降する間もがたついたり、外れたりすることはない。なお、第１実施形態と同様に、図２に示すゴム部材２８をがたつき防止に用いてもよい。また、板部材３２およびストッパ３６を用いずに、図８に示した永久磁石５０、５２を釣合おもりカバー４０の固定に利用することも可能である。
【００３９】
また、この第２実施形態では、釣合おもりカバー４０の全体の表面にねじ等の機械的締結要素が一切存在しないだけでなく、釣合おもりカバー４０を保持しているブラケット４１Ａ、４１Ｂも釣合おもりカバー４０の側面部の裏側に隠すことが可能になり、第１実施形態の釣合おもり１２よりも一層すっきりとした美観を有する外観にすることができる。
【００４０】
さらに、釣合おもりカバー４０の固定にねじが一切用いられていないため、多数のねじ等の締結要素を用いてカバーを固定する従来の釣合おもりに比べると、格段に釣合おもりの点検・保守の作業時間を短縮することができる点も第１実施形態と同様である。
【００４１】
以上、本発明に係るエレベータの釣り合いおもりについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４２】
１０…昇降路、１１…乗りかご、１２…釣合おもり、１３…釣合おもりシーブ、１４…メインロープ、１５…巻上機、１６…カーシーブ、１８…おもり片、２０…おもり台、２１…釣合おもり枠、２３…切欠き、２５…釣合おもりカバー、２６…縦縁部、２７…溝、３２…ストッパ板、３４…長穴、３６…ストッパ部材、４１Ａ、４１Ｂ…ブラケット、４２…溝、４４…縦縁部、５０…第１の磁石、５２…第２の磁石
【図１】
2015137161.tif 000003
【図２】
2015137161.tif 000004
【図３】
2015137161.tif 000005
【図４】
2015137161.tif 000006
【図５】
2015137161.tif 000007
【図６】
2015137161.tif 000008
【図７】
2015137161.tif 000009
【図８】
2015137161.tif 000010
【図９】
2015137161.tif 000011
【図１０】
2015137161.tif 000012
【手続補正書】
【提出日】平成26年12月16日(2014.12.16)
【手続補正１】
【補正対象書類名】明細書
【補正対象項目名】０００９
【補正方法】変更
【補正の内容】
【０００９】
前記の目的を達成するために、本発明は、乗りかごの重量に対して釣り合いをとるためのエレベータの釣合おもりにおいて、複数個のおもり片と、前記おもり片を積み重ねて搭載するための側面枠を構成するおもり枠と、搭載した前記おもり片を覆い隠すように釣合おもりの正面側および背面側にそれぞれ配置されるおもりカバーと、前記釣合おもりカバーの左右両端部で長さ方向に延びる縦縁部を保持可能な一対のブラケットと、を備え、前記一対のブラケットを釣合おもりの正面側と背面側でそれぞれ前記おもり枠に対して取り付け、前記ブラケットは、前記釣合おもりカバーの縦縁部が挿通され前記縦縁部が嵌合可能な溝を全長に亘って有することを特徴とするものである。
【手続補正２】
【補正対象書類名】特許請求の範囲
【補正対象項目名】請求項１
【補正方法】変更
【補正の内容】
【請求項１】
乗りかごの重量に対して釣り合いをとるためのエレベータの釣合おもりにおいて、
複数個のおもり片と、
前記おもり片を積み重ねて搭載するための側面枠を構成するおもり枠と、
搭載した前記おもり片を覆い隠すように釣合おもりの正面側および背面側にそれぞれ配置されるおもりカバーと、
前記釣合おもりカバーの左右両端部で長さ方向に延びる縦縁部を保持可能な一対のブラケットと、を備え、
前記一対のブラケットを釣合おもりの正面側と背面側でそれぞれ前記おもり枠に対して取り付け、前記ブラケットは、前記釣合おもりカバーの縦縁部が挿通され前記縦縁部が嵌合可能な溝を全長に亘って有することを特徴とするエレベータの釣合おもり。